(57)【要約】【課題】複数の排出先を確保することで、ジョブ単位の仕分けを明確にし、かつ各排出先を無駄なく利用して、効率よく画像形成処理を行う【解決手段】ジョブＡとジョブＢが発生し（ステップ（以下、「Ｓ」という）１００）、ＵＩへの入力により、ジョブＡによる印刷物がジョブＢによる印刷物と混在することを禁止する（Ｓ１０２）。トレイ使用状況確認部４０による確認により、ジョブＢによる印刷物が出力されていないトレイ１５があるか否かが判断され（Ｓ１０４）、肯定されるとジョブＡによる印刷物の出力トレイＡが決定され、ジョブＢによる印刷物のトレイＡへの出力が禁止され（Ｓ１０８）、トレイＡにジョブＡによる印刷物が出力され（Ｓ１１０）、否定されると再びＳ１０４の判断が行われ、ジョブＡが終了していると、取り出しボタン５０が押下され、ジョブＢによる印刷物のトレイＡへの出力禁止が解除される（Ｓ１１４）。【選択図】図４
2007128419.tif 000002
【特許請求の範囲】
【請求項１】
記録用紙に画像を形成し、後処理として当該記録用紙を排出することを仕事とする画像形成処理装置における、当該仕事の単位であるジョブが、複数回実行された場合のジョブ単位の仕分けを管理する後処理制御システムであって、
画像形成処理が終了した前記記録用紙を複数の排出先へ選択的に排出するための排出装置と、
前記ジョブ単位の排出先での混在の可否、及び前記複数の排出先のそれぞれに対する排出の可否の少なくとも一方を指示する指示手段と、
前記指示手段からの指示内容に基づいて、前記排出先を指定する排出先指定手段と、
を有する後処理制御システム。
【請求項２】
前記画像形成処理装置には、前記記録用紙に形成する画像の元データを配信すると共に、画像形成の実行を指示する外部制御装置が接続されており、前記指示手段が、当該外部制御装置に設けられていることを特徴とする請求項１記載の後処理制御システム。
【請求項３】
前記画像形成処理装置には、ユーザーとの間で、画像形成処理を実行するための指示、並びに画像形成処理の実行の状態の報知を行うユーザーインタフェースが接続されており、前記指示手段が、当該ユーザーインタフェースに設けられていることを特徴とする請求項１又は請求項２記載の後処理制御システム。
【請求項４】
前記複数の排出先のそれぞれが、前記指示手段を備えることを特徴とする請求項１乃至請求項３の何れか１項記載の後処理制御システム。
【請求項５】
前記指示手段は、前記ジョブ単位の排出先での混在の許可、前記ジョブ単位での排出先の混在の禁止、前記複数の排出先毎の排出許可、前記複数の排出先毎の排出禁止、をそれぞれ独立して指示する操作部を選択的に備えることを特徴とする請求項１乃至請求項４の何れか１項記載の後処理制御システム。
【請求項６】
前記指示手段による指示の結果、画像形成処理が滞る場合に、その旨を報知する報知手段をさらに有することを特徴とする請求項１乃至請求項５の何れか１項記載の後処理制御システム。
【発明の詳細な説明】
【技術分野】
【０００１】
本発明は、記録用紙に画像を形成し、後処理として当該記録用紙を排出することを仕事とする画像形成処理装置における、当該仕事の単位であるジョブが、複数回実行された場合のジョブ単位の仕分けを管理する後処理制御システムに関するものである。
【背景技術】
【０００２】
従来、標準的な装備のプリンタは、画像形成エンジン部と、排出先（即ち、トレイ等）とが１：１となるように構成されている。
【０００３】
排出先では、画像が形成される記録用紙を搬送幅方向に若干シフトさせて、ジョブ単位で区切りを明確にする場合があるが、ジョブ数が増えると区切りは分かりにくくなる。また、サイズが異なるジョブの場合は、積み重ねられるときのバランスが悪く、排出先であるトレイから逸脱する可能性がある。
【０００４】
一方で、フィニッシャーと称される排出装置の１つの機能としてソーターがある。このソーターを備えたプリンタにおいて、画像形成した記録用紙に対して、当該プリンタに仕分け指示を出した場合は、複数のトレイに仕分けられる機構が備えられるものもある。
【０００５】
しかし、特に指定がない場合は、記録用紙は、前述した単一の既存のトレイ（フィニッシャーがない場合）に排出されるため、連続した複数のジョブが、同一のサイズの記録用紙であると、複数のジョブの区切りが分かりにくくなる。
【０００６】
そこで、例えば先の排出があった場合は、排出自体を中止する、という対応が考えられる。しかしこのような対応を行なうと、プリンタの稼働時間を低下させてしまい、生産性の低下を招いてしまうということが起こりうる。
【０００７】
これに対し、プリンターの稼働時間を増やすために、複数の排出先をプリンタに接続し、排出先を自動的に選択し、切り換えながら印刷物を排出する技術が提案されている（例えば、特許文献１乃至特許文献７参照）。
【特許文献１】特開平４−２３７０７６号公報
【特許文献２】特開２０００−１４１８２６公報
【特許文献３】特開２０００−２４６９９６公報
【特許文献４】特開２００３−１６５６６８公報
【特許文献５】特開２００４−２０６０２１公報
【特許文献６】特開２００４−２０８２３８公報
【特許文献７】特開２００４−３３８２９５公報
【発明の開示】
【発明が解決しようとする課題】
【０００８】
しかしながら、前述の特許文献１乃至特許文献７に記載されているような技術では、プリンタの稼働時間の低下に伴う生産性の低下の改善は期待できるが、印刷物は単に異なる排出先に仕分けて排出されるのみである。
【０００９】
一方で、排出されたジョブを異なる客先へ配布する、排出装置のメンテナンスのため、一時的に別の排出装置を借り受けて排出する等の、セキュリティ管理を厳しくしなければならない要求がある。
【００１０】
本発明は上記事実を考慮し、複数の排出先を確保することで、ジョブ単位の仕分けを明確にし、かつ各排出先を無駄なく利用して、効率よく画像形成処理を行うことができると共に、セキュリティを確実に確保することができる後処理制御システムを得ることが目的である。
【課題を解決するための手段】
【００１１】
本発明は、記録用紙に画像を形成し、後処理として当該記録用紙を排出することを仕事とする画像形成処理装置における、当該仕事の単位であるジョブが、複数回実行された場合のジョブ単位の仕分けを管理する後処理制御システムであって、画像形成処理が終了した前記記録用紙を複数の排出先へ選択的に排出するための排出装置と、前記ジョブ単位の排出先での混在の可否、及び前記複数の排出先のそれぞれに対する排出の可否の少なくとも一方を指示する指示手段と、前記指示手段からの指示内容に基づいて、前記排出先を指定する排出先指定手段と、を有している。
【００１２】
本発明によれば、指示手段によって、ジョブ単位の排出先での混在の可否、及び前記複数の排出先のそれぞれに対する排出の可否の少なくとも一方を指示することで、排出先指定手段では、当該指示手段からの指示内容に基づいて、前記排出先を指定することができ、ジョブの混在を回避することができる。
【００１３】
上記発明において、前記画像形成処理装置には、前記記録用紙に形成する画像の元データを配信すると共に、画像形成の実行を指示する外部制御装置が接続されており、前記指示手段が、当該外部制御装置に設けられていることを特徴としている。
【００１４】
指示手段を外部制御装置に接続することで、画像形成処理の同時に指示が可能となる。
【００１５】
また、前記画像形成処理装置には、ユーザーとの間で、画像形成処理を実行するための指示、並びに画像形成処理の実行の状態の報知を行うユーザーインタフェースが接続されており、前記指示手段が、当該ユーザーインタフェースに設けられていることを特徴としている。
【００１６】
ユーザーインタフェースを用いて指示することで、画像形成処理状態を把握しながら指示することができる。
【００１７】
さらに、前記複数の排出先のそれぞれが、前記指示手段を備えることを特徴としている。
【００１８】
これにより、複数の排出先の混雑度合いを認識しながら指示することができる。
【００１９】
また、前記指示手段は、前記ジョブ単位での排出先の混在の許可、前記ジョブ単位の排出先での混在の禁止、前記複数の排出先毎の排出許可、前記複数の排出先毎の排出禁止、をそれぞれ独立して指示する操作部を選択的に備えることを特徴としている。
【００２０】
指示手段としての機能、即ち、前記ジョブ単位の排出先での混在の許可、前記ジョブ単位での排出先の混在の禁止、前記複数の排出先毎の排出許可、前記複数の排出先毎の排出禁止、を操作部により選択的にそれぞれを独立して指示することができるため、操作性がよい。
【００２１】
さらに、前記指示手段による指示の結果、画像形成処理が滞る場合に、その旨を報知する報知手段をさらに有することを特徴としている。
【００２２】
これにより、画像形成処理が滞ることを迅速に把握することができ、例えば、混在の許可する等、画像形成処理が滞ることを回避することができる。
【発明の効果】
【００２３】
以上説明した如く本発明によれば、複数の排出先を確保することで、ジョブ単位の仕分けを明確にし、かつ各排出先を無駄なく利用して、効率よく画像形成処理を行うことができると共に、セキュリティを確実に確保することができるという優れた効果を有する。
【発明を実施するための最良の形態】
【００２４】
以下、図面を参照しつつ本発明の実施の形態について詳細に説明する。
（第１の実施の形態）
図１には、本発明の後処理制御システムが適用された画像形成処理システム１０が示されている。
【００２５】
画像形成処理システム１０は、入力された画像データに基づいて内部の画像形成エンジン部２４を駆動することで、給紙トレイ１８から指定されたサイズの記録用紙Ｐを取り出し、画像形成処理を実行し、排出する画像形成処理装置１２が主体となって構成されている。
【００２６】
なお、本実施の画像形成装置１２の画像形成エンジン部２４は、所謂電子写真方式で画像を形成するようになっており、より具体的には、感光体の表面を一様に帯電し、画像データに応じたレーザビームを照射することで静電潜像を形成し、この静電潜像をトナーを用いて現像し、トナー現像によって顕像化された像を記録用紙へ転写する構造となっている。
【００２７】
画像形成装置１２の記録用紙排出端には、直列に複数台（本実施の形態では、３台）の排出装置１４Ａ、１４Ｂ、１４Ｃが配列されている。
【００２８】
この排出装置１４Ａ、１４Ｂ、１４Ｃの上部は、前記画像形成装置１２によって画像形成された記録用紙Ｐの搬送経路となっており、各排出装置１４Ａ、１４Ｂ、１４Ｃの中で分岐路が形成されている。
【００２９】
即ち、画像形成装置１２から排出された記録用紙Ｐは、後述する排出先指定によって前記分岐路から分岐させ、決定した排出装置１４Ａ（又は１４Ｂ又は１４Ｃ）へ搬送され、当該排出装置１４Ａの排出先（例えば、排出トレイ）１５Ａに排出させることができる構造となっている。
【００３０】
また、画像形成装置１２には、ユーザーインタフェース（以下、「ＵＩ」という）２０が接続されている。ＵＩ２０の基本的な機能は、画像形成処理の実行の指示、並びに画像形成処理の状態の報知である。
【００３１】
この画像形成装置１２には、ネットワーク１７を介して複数台のクライアントＰＣ１６（図１では、１台のみ図示）が接続され、前記画像データの出力先としての役目を有している。
【００３２】
上記構成が、画像形成処理システム１０において、クライアントＰＣ１６からジョブの指令（画像データ、並びに画像形成処理の実行指示（ＵＩ２０に代わり遠隔操作可能））があると、画像形成装置１２では、当該指示に基づいて画像形成エンジン部２４による画像形成処理が実行され、特に指示がない場合には、最寄りの排出装置１４の排出先１５へ記録用紙Ｐを排出する。
【００３３】
ところで、当該クライントＰＣ１６或いは他のクライアントＰＣから連続して、複数のジョブの指令があると、単一の排出先１５に複数のジョブが重ねられて排出される場合がある。このような場合、ジョブ単位の仕分けが煩雑となると共に、セキュリティの面でも好ましくない。
【００３４】
そこで、第１の実施の形態では、前記ＵＩ２０から、当該ジョブを他のジョブと混在することを禁止することを指示できるようにした（ジョブ混在指示）。
【００３５】
このジョブ混在指示が付加されたジョブに関しては、画像形成装置１２は、混在を回避できる排出先１５を検索する。
【００３６】
即ち、先に実行したジョブの排出先１５Ａ（排出装置１４Ａ）を認識すると共に、この先に実行したジョブの排出先１５Ａ以外の排出先１５Ｂ（排出装置１４Ｂ）を自動的に選択することで、先に実行したジョブとの混在を回避するようにしている。
【００３７】
図２には、第１の実施の形態に係る画像形成処理システム１０の要部構成を示す。
【００３８】
プリンタ１２には、ＣＰＵ、ＲＡＭ、ＲＯＭ（図示せず）等で構成され、プリンタ１２の機能を制御するプリンタ制御部２２を備えている。
【００３９】
プリンタ制御部２２は、前記ＵＩ２０、画像形成処理を行なう画像形成エンジン部２４、画像形成が施された用紙を排出装置１４Ａ、１４Ｂ、１４Ｃへ送るプリンタ用紙送部２６、排出装置１４Ａ、１４Ｂ、１４Ｃと情報の受け渡しを行なう排出装置インターフェース（排出装置Ｉ／Ｆ）２８、及びＰＣ１６と情報の受け渡しを行なうＰＣインターフェース（ＰＣＩ／Ｆ）３０と接続している。
【００４０】
排出装置１４Ａ、１４Ｂ、１４Ｃはそれぞれ、プリンタ１２と情報の受け渡しを行なうプリンタインターフェース（プリンタＩ／Ｆ）３２を備えている。プリンタＩ／Ｆ３２は、ＣＰＵ、ＲＡＭ、ＲＯＭ（図示せず）等で構成され、排出装置１４Ａ、１４Ｂ、１４Ｃの機能を制御する排出装置制御部３４と接続している。また、排出装置制御部３４は、プリンタ１２のプリンタ用紙送部２６から送られてきた用紙を複数備わる排出先１５の何れかに送る排出装置用紙送部３６と接続している。
【００４１】
一方、ＰＣ１６は、プリンタ１２と情報の受け渡しを行なう外部インターフェース（外部Ｉ／Ｆ）３８を備えている。
【００４２】
第１の実施の形態では、印刷物の混在を防止するために、ＵＩ２０からの入力により、プリンタ制御部２２によるプリンタ１２の制御、及び排出装置制御部３４による排出装置１４Ａ、１４Ｂ、１４Ｃの制御が行なわれるようになっている。
【００４３】
次に、上記を実現するための、第１の実施の形態に係る画像形成処理システムにおける機能的なつながりを、図３のブロック図を用いて示す。
【００４４】
ＵＩ２０は、あるジョブ（以下、「ジョブＡ」と称する）による印刷物を、先に実行されたジョブＡとは異なるジョブ（以下、「ジョブＢ」と称する）による印刷物と同一の排出先１５にて混在することを禁止したい場合に、その旨の入力ができるようになっている。
【００４５】
ＵＩ２０は、プリンタ制御部２２に備わる排出先使用状況確認部４０と接続している。そして、ＵＩ２０に、前述の混在の禁止が入力されると、その旨の情報が、排出先使用状況確認部４０に送信されるようになっている。
【００４６】
排出先使用状況確認部４０は、排出装置Ｉ／Ｆ２８及びプリンタＩ／Ｆ３２を介して排出先使用状況認識部４２と接続している。排出先使用状況認識部４２は、各々の排出先１５が使用されているか否かを認識するようになっている。
【００４７】
排出先使用状況確認部４０は、ＵＩ２０に混在の禁止が入力されると、排出先使用状況認識部４２に、各々の排出先１５が使用されているか否かの情報を送信するように要求するようになっている。そして、排出先使用状況認識部４２は、排出先使用状況確認部４０から当該要求があった場合は、各々の排出先１５が使用されているか否かの情報を送信するようになっている。
【００４８】
排出先使用状況確認部４０は、ジョブＡによる印刷物を排出する排出先を決定する排出先決定部４４と接続している。そして、排出先使用状況確認部４０は、排出先使用状況認識部４２から受信した情報のうち、使用されていない排出先１５について、使用されていない旨を排出先決定部４４に送信するようになっている。排出先決定部４４は、当該使用されていない排出先１５のうちの何れかをジョブＡによる印刷物を排出するための排出先（以下、「排出先Ａ」と称する）に決定する。
【００４９】
排出先決定部４４は、プリンタ用紙送部２６を制御するプリンタ用紙送り制御部４６、及び排出装置Ｉ／Ｆ２８及びプリンタＩ／Ｆ３２を介して排出装置用紙送部３６を制御する排出装置用紙送り制御部４８と接続している。排出先決定部４４は、プリンタ用紙送り制御部４６及び排出装置用紙送り制御部４８に、決定したジョブＡによる印刷物を排出する排出先Ａを通知するようになっている。
【００５０】
また、排出先決定部４４は、排出先使用状況認識部４２とも接続している。排出先決定部４４は、排出先使用状況認識部４２に、決定したジョブＡによる印刷物を排出する排出先Ａを通知し、当該排出先ＡにジョブＢの印刷物が混在することを禁止するようになっている。
【００５１】
一方、排出先使用状況認識部４２は、排出先１５に排出された印刷物を取り出したときに押下される取り出しボタン５０と接続している。当該取り出しボタン５０は、各排出先１５に設けられている。そして、取り出しボタン５０が押下されると、ジョブＢの印刷物の混在の禁止が解除されるようになっている。
【００５２】
次に、図４のフローチャートを用い、第１の実施の形態に係る処理の流れを説明する。
【００５３】
まず、ステップ１００では、ジョブＡとジョブＢが発生する。ジョブＡ及びジョブＢにより、画像形成エンジン部２４は印刷物の生成を行う。
【００５４】
ステップ１０２では、ＵＩ２０への入力により、ジョブＡによる印刷物がジョブＢによる印刷物と混在することを禁止する。
【００５５】
ステップ１０４では、排出先使用状況確認部４０による確認により、ジョブＢによる印刷物が排出されていない排出先１５があるか否かが判断される。肯定されるとステップ１０６へ移行し、否定されると再びステップ１０４の判断が行われる。
【００５６】
ステップ１０６では、ジョブＡによる印刷物の排出先が決定され（排出先Ａ）、ステップ１０８では、ジョブＢによる印刷物の排出先Ａへの排出が禁止され、ステップ１１０では、排出先ＡにジョブＡによる印刷物が排出される。
【００５７】
ステップ１１２では、ジョブＡが終了したか否かが判断される。肯定されるとステップ１１４へ移行し、否定されるとステップ１１８へ移行する。
【００５８】
ステップ１１４では、取り出しボタン５０が押下され、ジョブＢによる印刷物の排出先Ａへの排出禁止が解除され、ステップ１１６では、排出先Ａを含む何れかの排出先１５にジョブＢによる印刷物が排出される。
【００５９】
一方、ステップ１１８では、排出先Ａ以外の排出先１５にジョブＢによる印刷物が排出される。
【００６０】
このように、プリンタ１２に排出先１５Ａ、１５Ｂ、１５Ｃ等複数の排出先が接続された場合でも、排出先決定部４４により、１つのジョブによる印刷物が他のジョブによる印刷物と混在することを防止することができる。そして、１つのジョブを指示した者以外の者が１つのジョブによる印刷物を持ち去ることを防ぎ、セキュリティーの向上を図ることができる。
【００６１】
また、排出先１５内において、異なるジョブによるプリントの混在がなくなるとともに、排出先１５の指定も可能なため、ユーザは、自らが排出したプリントを早急に区別することができ、ユーザの作業の生産性の向上が期待される。
【００６２】
なお、全ての排出先１５に、混在が禁止されたジョブの印刷物が排出されたままであると、以降のジョブの印刷物を排出することができなくなってしまう。このような状況を防ぐために、少なくとも１つの排出先１５は、混在禁止の指定を不可能とし、常に印刷物の排出が可能な状態となる機構が設けられてもよい。こうすることで、プリンタが停止するといった事態を防ぐことが可能となる。
【００６３】
また、全ての排出先１５に、混在が禁止されたジョブの印刷物が排出されている状況で、ＰＣ１６から混在を禁止するジョブを送出しようとする場合も起こりうる。このような場合には、プリンタ１２は、当該ジョブを実行せず、一旦待機させ、混在禁止指定が解除されてジョブの印刷部の排出が可能になったときに待機を解除し、印刷を実行させる機構であってもよい。また、混在を禁止して排出が可能な排出先１５がない旨をＰＣ１６に送信して、ユーザに、混在を禁止せずにジョブの印刷物を排出するか、使用可能な混在を禁止して排出が可能な排出先１５ができるのを待機するか、該当ジョブの印刷を中止するか、の何れかを選択させる機構であってもよい。
（第２の実施の形態）
以下に、本発明の第２の実施の形態について説明する。なお、この第２の実施の形態において、前記第１の実施の形態と同一構成部分については、同一の符号を付して、その構成の説明を省略する。
【００６４】
第２の実施の形態の特徴は、図５に示されるように、排出装置１４Ａ、１４Ｂ、１４Ｃに取り出しボタン５０が設けられず、ジョブＢによる印刷物の排出先Ａへの排出禁止の解除が、プリンタ１２に備わるＵＩ２０への入力によってなされるようになっている点にある。ＵＩ２０にジョブＢによる印刷物の排出先Ａへの排出禁止の解除指示が入力されると、排出装置Ｉ／Ｆ２６及びプリンタＩ／Ｆ２８を介して、排出先使用状況認識部４２に、ジョブＡによるジョブＢによる印刷物の排出先Ａへの排出禁止が解除されたことが通知される。
【００６５】
次に、図６のフローチャートを用い、第２の実施の形態に係る処理の流れを説明する。
【００６６】
まず、ステップ１５０では、ジョブＡとジョブＢが発生する。
【００６７】
ステップ１５２では、ＵＩ２０への入力により、ジョブＡによる印刷物がジョブＢによる印刷物と混在することを禁止する。
【００６８】
ステップ１５４では、排出先使用状況確認部４０による確認により、ジョブＢによる印刷物が排出されていない排出先１５があるか否かが判断される。肯定されるとステップ１５６へ移行し、否定されると再びステップ１５４の判断が行われる。
【００６９】
ステップ１５６では、ジョブＡによる印刷物の排出先が決定され（排出先Ａ）、ステップ１５８では、ジョブＢによる印刷物の排出先Ａへの排出が禁止され、ステップ１６０では、排出先ＡにジョブＡによる印刷物が排出される。
【００７０】
ステップ１６２では、ジョブＡが終了したか否かが判断される。肯定されるとステップ１６４へ移行し、否定されるとステップ１６８へ移行する。
【００７１】
ステップ１６４では、ＵＩ２０にジョブＢによる印刷物の排出先Ａへの排出禁止の解除指示が入力されて、ステップ１６６では、排出先Ａを含む何れかの排出先１５にジョブＢによる印刷物が排出される。
【００７２】
一方、ステップ１６８では、排出先Ａ以外の排出先１５にジョブＢによる印刷物が排出される。
（第３の実施の形態）
以下に、本発明の第３の実施の形態について説明する。なお、この第３の実施の形態において、前記第１の実施の形態又は前記第２の実施の形態と同一構成部分については、同一の符号を付して、その構成の説明を省略する。
【００７３】
第３の実施の形態の特徴は、図７に示されるように、ＰＣ１６に、ジョブＡによる印刷物にジョブＢによる印刷物の混在を禁止するジョブ混在可否指示部５２が設けられている点にある。即ち、第３の実施の形態は、ＰＣ１６からジョブＡによる印刷物にジョブＢによる印刷物が混在することを禁止する機構である。
【００７４】
次に、図８のフローチャートを用い、第３の実施の形態に係る処理の流れを説明する。
【００７５】
まず、ステップ２００では、ジョブＡとジョブＢが発生する。
【００７６】
ステップ２０２では、ＰＣ１６からのプリンタ１２への指示により、ジョブＡによる印刷物がジョブＢによる印刷物と混在することを禁止する。
【００７７】
ステップ２０４では、排出先使用状況確認部４０による確認により、ジョブＢによる印刷物が排出されていない排出先１５があるか否かが判断される。肯定されるとステップ２０６へ移行し、否定されると再びステップ２０４の判断が行われる。
【００７８】
ステップ２０６では、ジョブＡによる印刷物の排出先が決定され（排出先Ａ）、ステップ２０８では、ジョブＢによる印刷物の排出先Ａへの排出が禁止され、ステップ２１０では、排出先ＡにジョブＡによる印刷物が排出される。
【００７９】
ステップ２１２では、ジョブＡが終了したか否かが判断される。肯定されるとステップ２１４へ移行し、否定されるとステップ２１８へ移行する。
【００８０】
ステップ２１４では、ＵＩ２０にジョブＢによる印刷物の排出先Ａへの排出禁止の解除指示が入力されて、ステップ２１６では、排出先Ａを含む何れかの排出先１５にジョブＢによる印刷物が排出される。
【００８１】
一方、ステップ２１８では、排出先Ａ以外の排出先１５にジョブＢによる印刷物が排出される。
【００８２】
なお、第１の実施形態のように、排出装置１４Ａ、１４Ｂ、１４Ｃに取り出しボタン５０が設けられており、取り出しボタン５０の押下により、ジョブＢによる印刷物の排出先Ａへの排出禁止の解除がなされる機構であってもよい。
（第４の実施の形態）
以下に、本発明の第４の実施の形態について説明する。なお、この第４の実施の形態において、前記第１の実施の形態乃至前記第３の実施の形態と同一構成部分については、同一の符号を付して、その構成の説明を省略する。
【００８３】
第４の実施の形態の特徴は、図９に示されるように、排出装置１４Ａ、１４Ｂ、１４Ｃに、ジョブＡによる印刷物にジョブＢによる印刷物の混在を禁止する使用不可ボタン５４が設けられている点にある。即ち、第４の実施の形態は、排出装置１４Ａ、１４Ｂ、１４Ｃに備わる使用不可ボタン５４の押下により、ジョブＡによる印刷物が排出される排出先にジョブＢによる印刷物が排出され、混在することが禁止される機構である。
【００８４】
次に、図１０のフローチャートを用い、第４の実施の形態に係る処理の流れを説明する。
【００８５】
まず、ステップ２５０では、ジョブＡとジョブＢが発生する。
【００８６】
ステップ２５２では、排出装置１４Ａ、１４Ｂ、１４Ｃに備わる使用不可ボタン５４の押下により、ジョブＡによる印刷物にジョブＢによる印刷物の混在を禁止する。
【００８７】
ステップ２５４では、排出先使用状況確認部４０による確認により、ジョブＢによる印刷物が排出されていない排出先１５があるか否かが判断される。肯定されるとステップ２５６へ移行し、否定されると再びステップ２５４の判断が行われる。
【００８８】
ステップ２５６では、ジョブＡによる印刷物の排出先が決定され（排出先Ａ）、ステップ２５８では、ジョブＢによる印刷物の排出先Ａへの排出が禁止され、ステップ２６０では、排出先ＡにジョブＡによる印刷物が排出される。
【００８９】
ステップ２６２では、ジョブＡが終了したか否かが判断される。肯定されるとステップ２６４へ移行し、否定されるとステップ２６８へ移行する。
【００９０】
ステップ２６４では、ＵＩ２０にジョブＢによる印刷物の排出先Ａへの排出禁止の解除指示が入力されて、ステップ２６６では、排出先Ａを含む何れかの排出先１５にジョブＢによる印刷物が排出される。
【００９１】
一方、ステップ２６８では、排出先Ａ以外の排出先１５にジョブＢによる印刷物が排出される。
【００９２】
なお、第１の実施形態のように、排出装置１４Ａ、１４Ｂ、１４Ｃに取り出しボタン５０が設けられており、取り出しボタン５０の押下により、ジョブＢによる印刷物の排出先Ａへの排出禁止の解除がなされる機構であってもよい。
【００９３】
このように、第２の実施の形態乃至第４の実施の形態では、第１の実施の形態と同様に、プリンタ１２に複数の排出先１５が備わる排出装置１４Ａ、１４Ｂ、１４Ｃが複数接続された場合でも、排出先決定部４４により、１つのジョブによる印刷物が他のジョブによる印刷物と混在することを防止することができる。そして、１つのジョブを指示した者以外の者が１つのジョブによる印刷物を持ち去ることを防ぎ、セキュリティーの向上を図ることができるということができるという効果がある。
【図面の簡単な説明】
【００９４】
【図１】第１の実施の形態に係るプリンタ、排出装置、及びクライアントＰＣを含む画像形成処理システムの全体概略図である。
【図２】第１の実施の形態に係る画像形成処理システムの要部構成を示す。
【図３】第１の実施の形態に係る画像形成処理システムにおける機能的なつながりを示す。
【図４】第１の実施の形態に係る画像形成処理システムにおける作用を示すフローチャートである。
【図５】第２の実施の形態に係る画像形成処理システムにおける機能的なつながりを示す。
【図６】第２の実施の形態に係る画像形成処理システムにおける作用を示すフローチャートである。
【図７】第３の実施の形態に係る画像形成処理システムにおける機能的なつながりを示す。
【図８】第３の実施の形態に係る画像形成処理システムにおける作用を示すフローチャートである。
【図９】第４の実施の形態に係る画像形成処理システムにおける機能的なつながりを示す。
【図１０】第４の実施の形態に係る画像形成処理システムにおける作用を示すフローチャートである。
【符号の説明】
【００９５】
１０   画像形成処理システム（後処理制御システム）
１２   プリンタ（画像形成装置）
１４   排出装置
１５   排出先
１６   クライアントＰＣ（外部制御装置、報知手段）
２０   ユーザーインターフェース（指示手段、報知手段）
２２   プリンタ制御部
２４   画像形成エンジン部
２６   プリンタ用紙送部
３４   排出装置制御部
３６   排出装置用紙送部
４０   排出先使用状況確認部
４２   排出先使用状況認識部
４４   排出先決定部（排出先指定手段）
４６   プリンタ用紙送り制御部
４８   排出装置用紙送り制御部
５０   取り出しボタン（指示手段）
５２   ジョブ混在可否指示部（指示手段）
５４   使用不可ボタン（指示手段）
【図１】
2007128419.tif 000003
【図２】
2007128419.tif 000004
【図３】
2007128419.tif 000005
【図４】
2007128419.tif 000006
【図５】
2007128419.tif 000007
【図６】
2007128419.tif 000008
【図７】
2007128419.tif 000009
【図８】
2007128419.tif 000010
【図９】
2007128419.tif 000011
【図１０】
2007128419.tif 000012